(57)【要約】【課題】天井に天吊り機器を短時間に効率よく設置することができ、天吊り機器の設置作業にかかる時間や労力を少なくすることができる天吊り機器固定器具を提供する。【解決手段】天吊り機器固定器具１０Ａは、垂直方向へ延びていて天井スラブに設置される上端設置部２０と上端設置部２０の下方に位置する下端支持部２１とを有する吊りパイプ１２と、吊りパイプ１２の下端支持部２１から水平方向へ延びていて吊りパイプ１２の下端支持部２１に設置される基端部３８と基端部３８の水平方向外方に位置する先端部４０とを有する水平支持架材１７と、水平支持架材１７の先端部４０から垂直方向へ延びていて水平支持架材１７の先端部４０に設置される上端部４５と上端部４５の下方に位置して天吊り機器の吊り金具に係止される下端部４７とを有する垂直支持架材１８とから形成されている。【選択図】図１
2020085101.tif 000002
【特許請求の範囲】
【請求項１】
天吊り機器を構造物に吊り下げた状態で固定する天吊り機器固定器具において、
前記天吊り機器固定器具が、垂直方向へ延びていて構造物に設置される上端設置部と前記上端設置部の下方に位置する下端支持部とを有する吊り部材と、前記吊り部材の下端支持部から水平方向へ延びていて該吊り部材の下端支持部に設置される基端部と前記基端部の水平方向外方に位置する先端部とを有する水平支持架材と、前記水平支持架材の先端部から垂直方向へ延びていて該水平支持架材の先端部に設置される上端部と前記上端部の下方に位置して前記天吊り機器の吊り金具に係止される下端部とを有する垂直支持架材とから形成されていることを特徴とする天吊り機器固定器具。
【請求項２】
前記水平支持架材が、前記吊り部材の下端支持部から第１の水平方向へ延びる第１水平支持架材と、前記第１水平支持架材から水平方向へ所定角度離間して第２の水平方向へ延びる第２水平支持架材と、前記第２水平支持架材から水平方向へ所定角度離間して第３の水平方向へ延びる第３水平支持架材と、前記第３水平支持架材から水平方向へ所定角度離間して第４の水平方向へ延びる第４水平支持架材とから形成され、前記垂直支持架材が、前記第１水平支持架材の先端部から垂直方向へ延びる第１垂直支持架材と、前記第２水平支持架材の先端部から垂直方向へ延びる第２垂直支持架材と、前記第３水平支持架材の先端部から垂直方向へ延びる第３垂直支持架材と、前記第４水平支持架材の先端部から垂直方向へ延びる第４垂直支持架材とから形成されている請求項１に記載の天吊り機器固定器具。
【請求項３】
前記第１〜第４水平支持架材が、それら水平支持架材の基端部を中心として前記吊り部材の周り方向へ旋回可能である請求項２に記載の天吊り機器固定器具。
【請求項４】
前記第１〜第４水平支持架材は、それら水平支持架材の基端部が前記吊り部材の下端支持部において水平方向外方と水平方向内方とへ移動可能であり、前記吊り部材の下端支持部からのそれら水平支持架材の水平方向の延出寸法を変更可能である請求項２又は請求項３に記載の天吊り機器固定器具。
【請求項５】
前記第１〜第４垂直支持架材は、それら垂直支持架材の上端部が前記第１〜第４水平支持架材の先端部において水平方向外方と水平方向内方とへ移動可能であり、前記第１〜第４水平支持架材の先端部におけるそれら垂直支持架材の水平方向の設置位置を変更可能である請求項２ないし請求項４いずれかに記載の天吊り機器固定器具。
【請求項６】
前記第１〜第４水平支持架材が、その基端部と先端部との間において等間隔離間して並ぶ水平方向へ長い複数の開口を有する請求項２ないし請求項５いずれかに記載の天吊り機器固定器具。
【請求項７】
前記第１〜第４垂直支持架材の下端部では、前記天吊り機器の吊り金具が垂直方向上方と垂直方向下方とへ移動可能であり、前記第１〜第４垂直支持架材の下端部における前記天吊り機器の吊り金具の垂直方向の係止位置を変更可能である請求項２ないし請求項６いずれかに記載の天吊り機器固定器具。
【請求項８】
前記天吊り機器固定器具が、水平方向へ延びていて前記構造物に固定される固定プレートと、前記固定プレートの直下に位置し、水平方向へ延びていて該固定プレートに固定された上端フランジとを含み、前記吊り部材の上端設置部が、前記上端フランジに固定されている請求項１ないし請求項７いずれかに記載の天吊り機器固定器具。
【請求項９】
前記天吊り機器固定器具が、前記吊り部材の上端設置部に固定されるとともに前記上端フランジに固定されて垂直方向へ延びる上端補強リブを有する請求項８に記載の天吊り機器固定器具。
【請求項１０】
前記天吊り機器固定器具が、水平方向へ延びていて前記吊り部材の下端支持部に取り付けられた下端第１フランジと、水平方向へ延びていて前記下端第１フランジの下方に位置して前記吊り部材の下端支持部に取り付けられた下端第２フランジとを含み、前記水平支持架材の基端部が、前記下端第１フランジと前記下端第２フランジとの間に設置される請求項１ないし請求項９いずれかに記載の天吊り機器固定器具。
【請求項１１】
前記天吊り機器固定器具が、前記吊り部材の下端支持部に固定されるとともに前記下端第１フランジに固定されて垂直方向へ延びる下端補強リブを有する請求項１０に記載の天吊り機器固定器具。
【発明の詳細な説明】
【技術分野】
【０００１】
本発明は、天吊り機器を構造物に吊り下げた状態で固定する天吊り機器固定器具に関する。
【背景技術】
【０００２】
構造物及び複数の吊下げ部材の各取り付け部分に一端が取り付けられる複数本の振れ止めボルトからなる第１の振れ止めボルト群と、吊下げ機器及び複数本の吊下げ部材の各取り付け部分に一端が取り付けられる複数の振れ止めボルトからなる第２の振れ止めボルト群と、第１の振れ止めボルト群および第２の振れ止めボルト群が有する各振れ止め部材の他端どうしを締結する締結部材とを備え、構造物から吊り下げられる吊下げ機器の振れを防止する振れ止め装置が開示されている（特許文献１参照）。
【０００３】
この振れ止め装置の締結部材は、第１の振れ止めボルト群および第２の振れ止めボルト群が有する各振れ止め部材の他端どうしを、各振れ止めボルトの他端に取り付けた部材に設けた孔または各振れ止めボルトの他端に設けた孔に挿通した挿通部材によって締結する。各振れ止めボルトは、締結部材による締結が緩んでいる場合、挿通部材を中心にしてそれぞれ独立して遊動自在である。振れ止め装置は、第１の振れ止めボルト群および第２の振れ止めボルト群のそれら振れ止めボルトどうしが締結部材によって締結されているから、多数の振れ止めボルトを纏まった状態で取り扱うことができ、高所作業における取り付け作業を容易に行うことができる。
【先行技術文献】
【特許文献】
【０００４】
【特許文献１】特開２０１４−１３４２３６号公報
【発明の概要】
【発明が解決しようとする課題】
【０００５】
吊りボルトを利用して４方向天井埋込カセット型エアコンや２方向天井埋込カセット型エアコン、天吊り照明等の天吊り機器を天井スラブ等の構造物に吊り下げる場合、天吊り機器の四隅に４本の吊りボルトを配置し、又は、天吊り機器の二隅に２本の吊りボルトを配置し、それら吊りボルトによって形成される４面又は２面に２本の斜材をＸ形に連結補強し、それら吊りボルトやそれら斜材から形成された吊り部材によって天吊り機器を固定し、天吊り機器を天井から吊り下げる。吊り長さが長くなる施工では、吊りボルトの交点角度が４５度±１５度に制約され、Ｘ形の補強傾材と２段又は３段の吊り部材とを設置する必要があり、天吊り機器の設置作業に長い時間と大きな労力とを要する。
【０００６】
前記特許文献１に開示の振れ止め装置は、天吊り機器の上方空間に複数本の振れ止めボルトからなる第１の振れ止めボルト群と複数本の振れ止めボルトからなる第２の振れ止めボルト群とを設置しつつ、それら振れ止めボルト群に天吊り機器を連結したものである。この振れ止め方法の場合、構造物の設計用震度の設計要求に対して耐震計算が可能でないため、実際に施工を行い、振れ止め実験等により有効性の検証や不適合時の手直しをしなければならず、天吊り機器の設置作業に相当な時間と大きな労力とを要するのみならず、天吊り機器の上方空間においてそれら振れ止めボルトが大きく場所を取ることで、それら振れ止めボルトが障害となり、天吊り機器の上方空間に他の機器や機材を配置することができない。
【０００７】
本発明の目的は、施工前に構造物の設計用震度の設計要求を満たした天吊り機器固定器具の製作が可能であり、施工した天吊り機器の振れを止めつつ、天井に天吊り機器を短時間に効率よく設置することができ、天吊り機器の設置作業にかかる時間や労力を少なくすることができる天吊り機器固定器具を提供することにある。本発明の他の目的は、天吊り機器の上方空間において大きな場所を取ることはなく、天吊り機器の上方空間に他の機器や機材を配置することができ、天吊り機器の上方空間において作業者の作業空間を増やすことができるとともに、天吊り機器の上方空間を有効に利用することができる天吊り機器固定器具を提供することにある。
【課題を解決するための手段】
【０００８】
前記課題を解決するための本発明の前提は、天吊り機器を構造物に吊り下げた状態で固定する天吊り機器固定器具である。
【０００９】
前記前提における本発明の特徴としては、天吊り機器固定器具が、垂直方向へ延びていて構造物に設置される上端設置部と上端設置部の下方に位置する下端支持部とを有する吊り部材と、吊り部材の下端支持部から水平方向へ延びていて吊り部材の下端支持部に設置される基端部と基端部の水平方向外方に位置する先端部とを有する水平支持架材と、水平支持架材の先端部から垂直方向へ延びていて水平支持架材の先端部に設置される上端部と上端部の下方に位置して天吊り機器の吊り金具に係止される下端部とを有する垂直支持架材とから形成されていることにある。
【００１０】
本発明の一例としては、水平支持架材が、吊り部材の下端支持部から第１の水平方向へ延びる第１水平支持架材と、第１水平支持架材から水平方向へ所定角度離間して第２の水平方向へ延びる第２水平支持架材と、第２水平支持架材から水平方向へ所定角度離間して第３の水平方向へ延びる第３水平支持架材と、第３水平支持架材から水平方向へ所定角度離間して第４の水平方向へ延びる第４水平支持架材とから形成され、垂直支持架材が、第１水平支持架材の先端部から垂直方向へ延びる第１垂直支持架材と、第２水平支持架材の先端部から垂直方向へ延びる第２垂直支持架材と、第３水平支持架材の先端部から垂直方向へ延びる第３垂直支持架材と、第４水平支持架材の先端部から垂直方向へ延びる第４垂直支持架材とから形成されている。
【００１１】
本発明の他の一例としては、第１〜第４水平支持架材が、それら水平支持架材の基端部を中心として吊り部材の周り方向へ旋回可能である。  本発明の他の一例として、第１〜第４水平支持架材は、それら水平支持架材の基端部が吊り部材の下端支持部において水平方向外方と水平方向内方とへ移動可能であり、吊り部材の下端支持部からのそれら水平支持架材の水平方向の延出寸法を変更可能である。
【００１２】
本発明の他の一例として、第１〜第４垂直支持架材は、それら垂直支持架材の上端部が第１〜第４水平支持架材の先端部において水平方向外方と水平方向内方とへ移動可能であり、第１〜第４水平支持架材の先端部におけるそれら垂直支持架材の水平方向の設置位置を変更可能である。  本発明の他の一例として、第１〜第４垂直支持架材の下端部では、天吊り機器の吊り金具が垂直方向上方と垂直方向下方とへ移動可能であり、第１〜第４垂直支持架材の下端部における天吊り機器の吊り金具の垂直方向の係止位置を変更可能である。
【００１３】
本発明の他の一例としては、第１〜第４水平支持架材がその基端部と先端部との間において等間隔離間して並ぶ水平方向へ長い複数の開口を有する。
【００１４】
本発明の他の一例としては、天吊り機器固定器具が、水平方向へ延びていて天井スラブに固定される固定プレートと、固定プレートの直下に位置し、水平方向へ延びていて固定プレートに固定された上端フランジとを含み、吊り部材の上端設置部が、上端フランジに固定されている。
【００１５】
本発明の他の一例としては、天吊り機器固定器具が、吊り部材の上端設置部に固定されるとともに上端フランジに固定されて垂直方向へ延びる上端補強リブを有する。
【００１６】
本発明の他の一例としては、天吊り機器固定器具が、水平方向へ延びていて吊り部材の下端支持部に取り付けられた下端第１フランジと、水平方向へ延びていて下端第１フランジの下方に位置して吊り部材の下端支持部に取り付けられた下端第２フランジとを含み、水平支持架材の基端部が、下端第１フランジと下端第２フランジとの間に設置される。
【００１７】
本発明の他の一例としては、天吊り機器固定器具が、吊り部材の下端支持部に固定されるとともに下端第１フランジに固定されて垂直方向へ延びる下端補強リブを有する。
【発明の効果】
【００１８】
本発明に係る天吊り機器固定器具によれば、天井スラブ等の構造物に設置される上端設置部及び上端設置部の下方に位置する下端支持部を有する吊り部材と、吊り部材の下端支持部に設置される基端部及び基端部の水平方向外方に位置する先端部を有する水平支持架材と、水平支持架材の先端部に設置される上端部及び上端部の下方に位置して天吊り機器の吊り金具に係止される下端部を有する垂直支持架材とから形成され、吊り部材の上端設置部を構造物に設置し、垂直支持架材の下端部を天吊り機器の吊り金具に係止することで、構造物に天吊り機器を吊り下げることができる。天吊り機器固定器具は、設計震度を満たすための耐震設計で地震の際の天吊り機器の振れ止めを可能にすることができる。また、事前に耐震計算をしつつ天吊り機器固定器具の工場又は床面等の安全な場所での製造が可能となり、天吊り機器固定器具を短時間に効率よく製造することができ、構造物に天吊り機器を短時間に効率よく設置することができるとともに、天吊り機器の設置作業にかかる時間や労力を少なくすることができる。天吊り機器固定器具は、天吊り機器の上方空間に吊り部材のみが位置し、吊り部材が天吊り機器の上方空間において大きく場所を取ることはなく、天吊り機器の上方に大きなスペースが確保され、天吊り機器の上方空間に他の機器や機材を配置することができ、天吊り機器の上方空間において作業者の作業空間を増やすことができるとともに、作業者がその作業空間を広く利用することができ、天吊り機器の上方空間を有効かつ安全に利用することができる。
【００１９】
水平支持架材が吊り部材の下端支持部から第１の水平方向へ延びる第１水平支持架材と、第１水平支持架材から水平方向へ所定角度離間して第２の水平方向へ延びる第２水平支持架材と、第２水平支持架材から水平方向へ所定角度離間して第３の水平方向へ延びる第３水平支持架材と、第３水平支持架材から水平方向へ所定角度離間して第４の水平方向へ延びる第４水平支持架材とから形成され、垂直支持架材が第１水平支持架材の先端部から垂直方向へ延びる第１垂直支持架材と、第２水平支持架材の先端部から垂直方向へ延びる第２垂直支持架材と、第３水平支持架材の先端部から垂直方向へ延びる第３垂直支持架材と、第４水平支持架材の先端部から垂直方向へ延びる第４垂直支持架材とから形成されている天吊り機器固定器具は、吊り部材の上端設置部を天井スラブ等の構造物に設置し、第１〜第４垂直支持架材の下端部を天吊り機器の各吊り金具に係止することで、構造物に天吊り機器をしっかりと吊り下げることができる。天吊り機器固定器具は、第１〜第４垂直支持架材を利用して構造物に天吊り機器を短時間に効率よく設置することができ、天吊り機器の設置作業にかかる時間や労力を少なくすることができる。天吊り機器固定器具は、天吊り機器の上方空間において第１〜第４水平支持架材や第１〜第４垂直支持架材が大きく場所を取ることはなく、天吊り機器の上方に大きなスペースが確保され、天吊り機器の上方空間に他の機器や機材を配置することができ、天吊り機器の上方空間において作業者の作業空間を増やすことができるとともに、作業者がその作業空間を広く利用することができ、天吊り機器の上方空間を有効かつ安全に利用することができる。
【００２０】
第１〜第４水平支持架材がそれら水平支持架材の基端部を中心として吊り部材の周り方向へ旋回可能である天吊り機器固定器具は、第１〜第４水平支持架材を吊り部材の周り方向へ旋回させることで、天吊り機器の大きさや形状、縦横寸法にあわせて第１〜第４水平支持架材の旋回角度を変更することができるとともに、天吊り機器の吊り金具の位置にあわせて第１〜第４垂直支持架材の位置を変更することができ、天吊り機器固定器具を利用して各種の形状の天吊り機器を天井スラブ等の構造物に設置することができる。
【００２１】
第１〜第４水平支持架材の基端部が吊り部材の下端支持部において水平方向外方と水平方向内方とへ移動可能であり、吊り部材の下端支持部からのそれら水平支持架材の水平方向の延出寸法を変更可能である天吊り機器固定器具は、第１〜第４水平支持架材の基端部を吊り部材の下端支持部において水平方向外方と水平方向内方とへ移動させることで、天吊り機器の大きさや形状、縦横寸法にあわせて吊り部材の下端支持部からのそれら水平支持架材の水平方向の延出寸法を変更することができ、天吊り機器固定器具を利用して大きさや形状、縦横寸法の異なる天吊り機器を天井スラブ等の構造物に設置することができる。また、天吊り機器の水平方向の位置調整ができ、天吊り機器の位置を所定の位置（例えば、天井ボードの開口位置）にあわせることができる。
【００２２】
第１〜第４垂直支持架材の上端部が第１〜第４水平支持架材の先端部において水平方向外方と水平方向内方とへ移動可能であり、第１〜第４水平支持架材の先端部におけるそれら垂直支持架材の水平方向の設置位置を変更可能である天吊り機器固定器具は、第１〜第４垂直支持架材の上端部を第１〜第４水平支持架材の先端部において水平方向外方と水平方向内方とへ移動させることで、天吊り機器の大きさや形状、縦横寸法にあわせて第１〜第４水平支持架材の先端部におけるそれら垂直支持架材の水平方向の設置位置を変更することができ、天吊り機器固定器具を利用して大きさや形状、縦横寸法の異なる天吊り機器を天井スラブ等の構造物に設置することができる。また、天吊り機器の水平方向の位置調整ができ、天吊り機器の位置を所定の位置（例えば、天井ボードの開口位置）にあわせることができる。
【００２３】
第１〜第４水平支持架材がその基端部と先端部との間において等間隔離間して並ぶ水平方向へ長い複数の開口を有する天吊り機器固定器具は、それら開口のいずれかを利用して第１〜第４水平支持架材を吊り部材の下端支持部において水平方向外方と水平方向内方とへ移動させることができるから、天吊り機器の大きさや形状、縦横寸法にあわせて吊り部材の下端支持部からのそれら水平支持架材の水平方向の延出寸法を変更することができ、天吊り機器固定器具を利用して大きさや形状、縦横寸法の異なる様々な天吊り機器を天井スラブ等の構造物に設置することができる。天吊り機器固定器具は、それら開口のいずれかを利用して第１〜第４垂直支持架材の上端部を第１〜第４水平支持架材において水平方向外方と水平方向内方とへ移動させることができるから、天吊り機器の大きさや形状、縦横寸法にあわせて第１〜第４水平支持架材におけるそれら垂直支持架材の水平方向の設置位置を変更することができ、天吊り機器固定器具を利用して大きさや形状、縦横寸法の異なる様々な天吊り機器を天井スラブ等の構造物に設置することができる。
【００２４】
第１〜第４垂直支持架材の下端部において天吊り機器の吊り金具が垂直方向上方と垂直方向下方とへ移動可能であり、第１〜第４垂直支持架材の下端部における天吊り機器の吊り金具の垂直方向の係止位置を変更可能である天吊り機器固定器具は、第１〜第４垂直支持架材の下端部における天吊り機器の吊り金具の垂直方向の係止位置を垂直方向へ変更することで、天井スラブ等の構造物に対する天吊り機器の傾斜を修正することができ、構造物に対する天吊り機器の水平状態を確保することができるとともに、構造物に対して天吊り機器を水平に設置することができる。また、天吊り機器の垂直方向の位置調整ができ、天吊り機器の位置を所定の位置（例えば、天井ボードの開口位置）にあわせることができる。
【００２５】
水平方向へ延びていて天井スラブ等の構造物に固定される固定プレートと、固定プレートの直下に位置し、水平方向へ延びていて固定プレートに固定された上端フランジとを含み、吊り部材の上端設置部が上端フランジに固定されている天吊り機器固定器具は、固定プレートと上端フランジとを利用して吊り部材を構造物に強固に固定することができ、吊り部材が構造物から不用意に外れることはなく、天吊り機器の不測の落下事故を防ぐことができる。天吊り機器固定器具は、先行して構造物に固定プレートを設置し、その後に吊り部材を取り付けることができ、構造物に対して吊り部材を容易に設置することができる。
【００２６】
吊り部材の上端設置部に固定されるとともに上端フランジに固定されて垂直方向へ延びる上端補強リブを有する天吊り機器固定器具は、吊り部材の上端設置部と固定フランジとに固定された上端補強リブによって吊り部材の接合部の強度や剛性が増加し、吊り部材に天吊り機器の荷重や地震による加振力がかかったとしても、吊り部材が振れて破損や損壊することはなく、吊り部材の破損や損壊による天吊り機器の構造物からの不測の落下事故を防ぐことができる。
【００２７】
水平方向へ延びていて吊り部材の下端支持部に取り付けられた下端第１フランジと、水平方向へ延びていて下端第１フランジの下方に位置して吊り部材の下端支持部に取り付けられた下端第２フランジとを含み、水平支持架材の基端部が下端第１フランジと下端第２フランジとの間に設置される天吊り機器固定器具は、吊り部材の下端支持部に取り付けられた下端第１フランジと下端第２フランジとの間に水平支持架材の基端部を設置することで、水平支持架材の基端部を吊り部材の下端支持部に確実に設置することができる。
【００２８】
吊り部材の下端支持部に固定されるとともに下端第１フランジに固定されて垂直方向へ延びる下端補強リブを有する天吊り機器固定器具は、吊り部材の下端支持部と下端フランジとに固定された下端補強リブによって吊り部材の接合部の強度や剛性が増加し、吊り部材に天吊り機器の荷重や地震による加振力がかかったとしても、吊り部材が振れて破損や損壊することはなく、吊り部材の破損や損壊による天吊り機器の構造物からの不測の落下事故を防ぐことができる。
【図面の簡単な説明】
【００２９】
【図１】一例として示す天吊り機器固定器具の側面図。
【図２】天吊り機器固定器具の上面図。
【図３】一例として示す吊りパイプ（吊り部材）の斜視図。
【図４】吊りパイプと固定プレート及び上端フランジとの部分拡大斜視図。
【図５】下端第１フランジ及び下端第２フランジの斜視図。
【図６】一例として示す第１〜第４水平支持架材の斜視図。
【図７】第１〜第４水平支持架材の基端部の部分拡大斜視図。
【図８】一例として示す第１〜第４垂直支持架材の斜視図。
【図９】第１〜第４水平支持架材の先端部及び第１〜第４垂直支持架材の上端部の部分拡大斜視図。
【図１０】下端第１フランジ及び下端第２フランジに第１水平支持架材〜第４水平支持架材を取り付けた状態で示すそれらの上面図。
【図１１】第１〜第４垂直支持架材の下端部の拡大斜視図。
【図１２】他の一例として示す第１〜第４水平支持架材の斜視図。
【図１３】天吊り機器を取り付けた状態で示す天吊り機器固定器具の側面図。
【図１４】天井スラブに取り付けられた吊りパイプと固定プレート及び上端フランジとの部分拡大断面図。
【図１５】天吊り機器を取り付けた状態で示す他の一例の天吊り機器固定器具の側面図。
【図１６】吊りパイプの上端設置部と固定プレート及び上端フランジとの部分拡大断面図。
【図１７】吊りパイプの下端支持部と下端第１フランジとの部分拡大断面図。
【発明を実施するための形態】
【００３０】
一例として示す天吊り機器固定器具１０Ａの側面図である図１等の添付の図面を参照し、本発明にかかる天吊り機器固定器具の詳細を説明すると、以下のとおりである。なお、図２は、天吊り機器固定器具１０Ａの上面図であり、図３は、一例として示す吊りパイプ１２（吊り部材）の斜視図である。図４は、吊りパイプ１２（吊り部材）と固定プレート１３及び上端フランジ１４との部分拡大斜視図であり、図５は、下端第１フランジ１５及び下端第２フランジ１６の斜視図である。図１，２では、垂直方向を矢印Ａで示し（図１のみ）、水平方向を矢印Ｂで示す。図４では、吊りパイプ１２の上端設置部２０を上端フランジ１４に設置する前の状態を示す。
【００３１】
天吊り機器固定器具１０Ａ（天吊り機器固定器具１０Ｂを含む）は、４方向天井埋込カセット型エアコンや２方向天井埋込カセット型エアコン、天吊り照明等の天吊り機器１１を天井スラブ１９（構造物）に吊り下げた状態で固定する。なお、天吊り機器固定器具１０Ａ（天吊り機器固定器具１０Ｂを含む）は、天井スラブ１９のみならず、天吊り機器１１を梁（構造物）や屋根（構造物）、廊下（構造物）、ベランダ（構造物）等に吊り下げた状態で固定する場合にも利用される。
【００３２】
天吊り機器固定器具１０Ａは、垂直方向へ延びる吊りパイプ１２（吊り部材）と、水平方向へ延びる固定プレート１３及び上端フランジ１４と、水平方向へ延びる下端第１フランジ１５及び下端第２フランジ１６と、水平方向へ延びる水平支持架材１７と、垂直方向へ延びる垂直支持架材１８とから形成されている。
【００３３】
吊りパイプ１２（吊り部材）は、所定の金属から作られ、垂直方向へ長い円筒状に成形されている。吊りパイプ１２は、上端フランジ１４（天井スラブ１９）に設置される上端設置部２０と、上端設置部２０の下方に位置する下端支持部２１とを有する。吊りパイプ１２の上端設置部２０と下端支持部２１とには、図３に示すように、螺子２２が作られている。
【００３４】
吊りパイプ１２のスペックは、以下の計算式によって算出された値を元に検討される。水平荷重：Ｐ＝ＫＨ（Ｗ１＋Ｗ２）、曲げモーメント：Ｍ＝Ｐ・Ｈ・ｇ／１０００、必要断面係数：Ｚｎ＝Ｍ／Ｆｂ、水平地震加速度：ＫＨ＝１．０Ｇ、重力加速度ｇ＝９．８０６６５ｍ／ｓ２、鋼材の許容曲げ応力度Ｆｂ＝２３．５ｋＮ／ｃｍ２
【００３５】
例えば、機器重量Ｗ１が５０ｋｇ、金物重量Ｗ２が３３ｋｇ、高さＨが１００ｃｍ、曲げモーメントＭが８１．４ｋＮ・ｃｍ、必要断面係数Ｚｎが３．５ｃｍ３、断面係数Ｚが９．０３ｃｍ３である場合の吊りパイプ１２（適合管）のスペックは、５０Ａであり、機器重量Ｗ１が１００ｋｇ、金物重量Ｗ２が３７ｋｇ、高さＨが１５０ｃｍ、曲げモーメントＭが２０１．５ｋＮ・ｃｍ、必要断面係数Ｚｎが８．６ｃｍ３、断面係数Ｚが９．０３ｃｍ３である場合の吊りパイプ１２（適合管）のスペックは、５０Ａである。
【００３６】
機器重量Ｗ１が１００ｋｇ、金物重量Ｗ２が５０ｋｇ、高さＨが２００ｃｍ、曲げモーメントＭが２９４．２ｋＮ・ｃｍ、必要断面係数Ｚｎが１２．５ｃｍ３、断面係数Ｚが１６．２６ｃｍ３である場合の吊りパイプ１２（適合管）のスペックは、６５Ａであり、機器重量Ｗ１が１００ｋｇ、金物重量Ｗ２が６５ｋｇ、高さＨが２５０ｃｍ、曲げモーメントＭが４０４．５ｋＮ・ｃｍ、必要断面係数Ｚｎが１７．２ｃｍ３、断面係数Ｚが２２．７１ｃｍ３である場合の吊りパイプ１２（適合管）のスペックは、８０Ａである。
【００３７】
スペックが５０Ａの吊りパイプ１２（適合管）は、肉圧が３．８ｍｍ、断面積が６．７ｃｍ２、単位重量空配管が５．４ｋｇ／ｍであり、スペックが６５Ａの吊りパイプ１２（適合管）は、肉圧が４．２ｍｍ、断面積が９．５ｃｍ２、単位重量空配管が７．５ｋｇ／ｍである。スペックが８０Ａの吊りパイプ１２（適合管）は、肉圧が４．２ｍｍ、断面積が１１．２ｃｍ２、単位重量空配管が８．９ｋｇ／ｍである。
【００３８】
固定プレート１３は、所定の金属から作られ、所定の厚みを有してその平面形状が四角形に成形されている。なお、固定プレート１３の平面形状や大きさに特に限定はなく、固定プレート１３の平面形状を円形や楕円形等の他の形状にすることができるとともに、その大きさを適宜決定することができる。なお、天吊り機器１１の重量が大きい場合、固定プレート１３の大きさを大きくすることで、水平支持架材１７の固定力を高め、天吊り機器固定器具１０Ａ（天吊り機器固定器具１０Ｂを含む）の剛性及び取り付け強度を高めることができる。固定プレート１３は、天井スラブ１９（コンクリート）に埋め込まれたアンカーボルト２３（打ち込みアンカーやケミカルアンカー）（図１２，１３参照）を利用して天井スラブ１９に固定され、天井スラブ１９と並行して水平方向へ延びている。
【００３９】
固定プレート１３の周縁部（四隅）には、アンカーボルト２３の螺子部を挿通する４つの貫通孔２４が穿孔されている。固定プレート１３の周縁部に穿孔された貫通孔２４に天井スラブ１９から下方へ延びるアンカーボルト２３の螺子部が挿通され、挿通孔２４から下方へ露出するアンカーボルト２３の螺子部にナット２５が螺着されることにより、固定プレート１３が天井スラブ１９に強固に固定される。固定プレート１３の中央部には、図４，１３に示すように、頭部がない溶接ボルト２６の螺子部が溶接によって固定されている。溶接ボルト２６の螺子部は、固定プレート１３の中央部において固定プレート１３の周り方向へ等間隔離間して並び、固定プレート１３の中央部から下方へ延びている。
【００４０】
上端フランジ１４は、所定の金属から作られ、所定の厚みを有してその平面形状が円形に成形されている。上端フランジ１４の平面形状や大きさに特に限定はなく、上端フランジ１４の平面形状を四角形や楕円形等の他の形状にすることができるとともに、その大きさを適宜決定することができる。なお、天吊り機器１１の重量が大きい場合、上端フランジ１４の大きさを大きくすることで、天吊り機器固定器具１０Ａ（天吊り機器固定器具１０Ｂを含む）の剛性を高め、その取り付け強度を高めることができる。上端フランジ１４は、固定プレート１３の直下に位置し、固定プレート１３の中央部に溶接された溶接ボルト２６を利用して固定プレート１３に固定され、固定プレート１３と並行して水平方向へ延びている。上端フランジ１４の中央部には、フランジ１４を貫通する固定孔２７が穿孔されている。固定孔２７には、吊りパイプ１２の上端設置部２０に作られた螺子２２を螺着する螺子溝２８が作られている。
【００４１】
上端フランジ１４の周縁部には、溶接ボルト２６の螺子部を挿通する４つの貫通孔２９が穿孔されている。それら貫通孔２９は、上端フランジ１４の周縁部において上端フランジ１４の周り方向へ等間隔離間して並んでいる。上端フランジ１４の周縁部に穿孔された貫通孔２９に固定プレート１３の中央部から下方へ延びる溶接ボルト２６の螺子部が挿通され、貫通孔２９から下方へ露出する溶接ボルト２６の螺子部にナット３０が螺着されることにより、上端フランジ１４が固定プレート１３に強固に固定される。上端フランジ１４の中央部に穿孔された固定孔２７の螺子溝２８に吊りパイプ１２の上端設置部２０に作られた螺子２２が螺着され、吊りパイプ１２の上端設置部２０が上端フランジ１４に強固に固定されている。
【００４２】
下端第１フランジ１５は、所定の金属から作られ、所定の厚みを有してその平面形状が円形に成形されている。下端第１フランジ１５の平面形状や大きさに特に限定はなく、下端第１フランジ１５の平面形状を四角形や楕円形等の他の形状にすることができるとともに、その大きさを適宜決定することができる。下端第１フランジ１５は、吊りパイプ１２の下端支持部２１に取り付けられて水平方向へ延びている。下端第１フランジ１５の中央部には、フランジ１５を貫通する螺着孔３１が穿孔されている。下端第１フランジ１５の螺着孔３１には、吊りパイプ１２の下端支持部２１に作られた螺子２２を螺着する螺子溝３２が作られている。
【００４３】
下端第１フランジ１５の周縁部には、固定ボルト３３の螺子部を挿通する４つの挿通孔３４が穿孔されている。それら挿通孔３４は、下端第１フランジ１５の周縁部においてフランジ１５の周り方向へ等間隔離間して並んでいる。下端第１フランジ１５の中央部に穿孔された螺着孔３１の螺子溝３２に吊りパイプ１２の下端支持部２１に作られた螺子２２が螺着され、吊りパイプ１２の下端支持部２１に下端第１フランジ１５が固定（設置）されている。
【００４４】
下端第２フランジ１６は、所定の金属から作られ、所定の厚みを有してその平面形状が円形に成形されている。下端第２フランジ１６の平面形状や大きさに特に限定はなく、下端第２フランジ１６の平面形状を四角形や楕円形等の他の形状にすることができるとともに、その大きさを適宜決定することができる。なお、天吊り機器１１の重量が大きい場合、下端第１フランジ１５及び下端第２フランジ１６の大きさを大きくすることで、天吊り機器固定器具１０Ａ（天吊り機器固定器具１０Ｂを含む）の剛性を高め、振れ止め強度及び取り付け強度を高めることができる。下端第２フランジ１６は、下端第１フランジ１５から下方へ所定寸法離間し、吊りパイプ１２の下端支持部２１に取り付けられて下端第１フランジ１５と並行して水平方向へ延びている。下端第２フランジ１６の中央部には、フランジ１６を貫通する螺着孔３５が穿孔されている。下端第２フランジ１６の螺着孔３５には、吊りパイプ１２の下端支持部２１に作られた螺子２２を螺着する螺子溝３６が作られている。
【００４５】
下端第２フランジ１６の周縁部には、固定ボルト３３の螺子部を挿通する４つの挿通孔３７が穿孔されている。それら挿通孔３４は、下端第２フランジ１６の周縁部においてフランジ１６の周り方向へ等間隔離間して並んでいる。下端第２フランジ１６の中央部に穿孔された螺着孔３５の螺子溝３６に吊りパイプ１２の下端支持部２１に作られた螺子２２が螺着され、吊り部材１２の下端支持部２１に下端第２フランジ１６が固定（設置）されている。
【００４６】
図６は、一例として示す第１〜第４水平支持架材１７ａ〜１７ｄの斜視図であり、図７は、第１〜第４水平支持架材１７ａ〜１７ｄの基端部の部分拡大斜視図である。水平支持架材１７には、図６に示すように、所定の金属から作られた金属Ｌ型アングル材が使用されている。なお、水平支持架材１７は、金属Ｌ型アングル材のみならず、ランナーや棒材等の他の形状の材料を使用することができる。
【００４７】
水平支持架材１７は、図２に示すように、吊りパイプ１２の下端支持部２１から第１の水平方向（径方向外方）へ延びる第１水平支持架材１７ａと、吊りパイプ１２の下端支持部２１から第２の水平方向（径方向外方）へ延びる第２水平支持架材１７ｂと、吊りパイプ１２の下端支持部２１から第３の水平方向（径方向外方）へ延びる第３水平支持架材１７ｃと、吊りパイプ１２の下端支持部２１から第４の水平方向（径方向外方）へ延びる第４水平支持架材１７ｄとから形成されている。
【００４８】
第１水平支持架材１７ａは、第４水平支持架材１７ｄから水平方向へ所定角度離間している。第２水平支持架材１７ｂは、第１水平支持架材１７ａから水平方向へ所定角度離間している。第３水平支持架材１７ｃは、第２水平支持架材１７ｂから水平方向へ所定角度離間している。第４水平支持架材１７ｄは、第３水平支持架材１７ｃから水平方向へ所定角度離間している。第１水平支持架材１７ａ〜第４水平支持架材１７ｄは、吊りパイプ１２の下端支持部２１に回転可能に設置される基端部３８と、基端部３８の水平方向外方に位置する先端部４０と、基端部３８及び先端部４０との間に延びる中間部３９とを有する。
【００４９】
第１〜第４水平支持架材１７ａ〜１７ｄの基端部３８には、固定ボルト３３の螺子部を挿通する径方向へ長い第１基端開口４１ａ（第１基端孔）〜第４基端開口４１ｄ（第４基端孔）が穿孔されている。第１〜第４水平支持架材１７ａ〜１７ｄの先端部４０には、後記する第１垂直支持架材１８ａ〜第４垂直支持架材１８ｄの上端部４５を挿通する径方向へ長い第１先端開口４２ａ（第１先端孔）〜第４先端開口４２ｄ（第４先端孔）が穿孔されている。
【００５０】
第１〜第４水平支持架材１７ａ〜１７ｄは、その基端部３８が下端第１フランジ１５と下端第２フランジ１６との間に配置され、基端部３８が下端第１及び第２フランジ１５，１６に挟まれた状態で吊りパイプ１２の下端支持部２１に回転可能に取り付けられている。下端第１フランジ１５に穿孔された挿通孔３４と下端第２フランジ１６に穿孔された挿通孔３７と第１〜第４水平支持架材１７ａ〜１７ｄに穿孔された第１〜第４基端開口４１ａ〜４１ｄとに固定ボルト３３の螺子部が挿通され、下端第１フランジ１５の挿通孔３４から上方へ露出する固定ボルト３３の螺子部に二重ナット４３が螺着されることで、第１〜第４水平支持架材１７ａ〜１７ｄの基端部３８が下端第１フランジ１５及び下端第２フランジ１６に固定されている。第１〜第４水平支持架材１７ａ〜１７ｄは、その基端部３８が回転することでその先端部４０が水平方向（吊りパイプ１２の周り方向）へ旋回する。
【００５１】
第１〜第４水平支持架材１７ａ〜１７ｄの径方向へ長い第１〜第４基端開口４１ａ〜４１ｄに対する固定ボルト３３の位置は水平方向外方（径方向外方）と水平方向内方（径方向内方）とへ移動可能であり、第１〜第４水平支持架材１７ａ〜１７ｄの第１〜第４基端開口４１ａ〜４１ｄに対する固定ボルト３３の固定位置を調節することで、吊りパイプ１２の下端支持部２１からの第１〜第４水平支持架材１７ａ〜１７ｄの水平方向（径方向）の延出寸法を変更可能である。
【００５２】
具体的には、固定ボルト３３の固定位置を第１〜第４基端開口４１ａ〜４１ｄの径方向内方（第１〜第４基端開口４１ａ〜４１ｄの吊りパイプ１２の下端支持部２１の側）にすることで、吊りパイプ１２の下端支持部２１から水平方向外方（径方向外方）への第１〜第４水平支持架材１７ａ〜１７ｄの延出寸法を長くすることができ、固定ボルト３３の固定位置を第１〜第４基端開口４１ａ〜４１ｄの径方向外方（第１〜第４水平支持架材１７ａ〜１７ｄの先端部４０の側）にすることで、吊りパイプ１２の下端支持部２１から水平方向外方（径方向外方）への第１〜第４水平支持架材１７ａ〜１７ｄの延出寸法を短くすることができる。
【００５３】
図８は、一例として示す第１〜第４垂直支持架材１８ａ〜１８ｄの斜視図であり、図９は、第１〜第４水平支持架材１７ａ〜１７ｄの先端部４０及び第１〜第４垂直支持架材１８ａ〜１８ｄの上端部４５の部分拡大斜視図である。図１０は、下端第１及び第２フランジ１６，１６に第１〜第４水平支持架材１７ａ〜１７ｄを取り付けた状態で示すそれらの上面図であり、図１１は、第１〜第４垂直支持架材１８ａ〜１８ｄの下端部４７の拡大斜視図である。
【００５４】
垂直支持架材１８は、図２に示すように、第１水平支持架材１７ａの先端部４０から垂直方向へ延びる第１垂直支持架材１８ａと、第２水平支持架材１７ｂの先端部４０から垂直方向へ延びる第２垂直支持架材１８ｂと、第３水平支持架材１７ｃの先端部４０から垂直方向へ延びる第３垂直支持架材１８ｃと、第４水平支持架材１７ｄの先端部４０から垂直方向へ延びる第４垂直支持架材１８ｄとから形成されている。第１〜第４垂直支持架材１８ａ〜１８ｄは、図１０に示すように、所定の金属から作られ、垂直方向へ長い円柱棒状に成形されている。それら垂直支持架材１８ａ〜１８ｄの全域には、螺子４４が作られている。
【００５５】
第１〜第４垂直支持架材１８ａ〜１８ｄは、第１〜第４水平支持架材１７ａ〜１７ｄの先端部４０に設置される上端部４５と、上端部４５の下方に位置する下端部４７と、上端部４５及び下端部４７の間に延びる中間部４６とを有する。第１〜第４垂直支持架材１８ａ〜１８ｄは、その上端部４５が第１〜第４水平支持架材１７ａ〜１７ｄの先端部４０に穿孔された第１〜第４先端開口４２ａ〜４２ｄに挿通され、第１〜第４水平支持架材１７ａ〜１７ｄの先端部４０を挟むように上端部４５の螺子４４に螺着された二重ナット４８及びナット４９によって第１〜第４水平支持架材１７ａ〜１７ｄの先端部４０に固定されている。
【００５６】
第１〜第４水平支持架材１７ａ〜１７ｄの径方向へ長い第１〜第４先端開口４２ａ〜４２ｄに対する第１〜第４垂直支持架材１８ａ〜１８ｄの上端部の位置は水平方向外方（径方向外方）と水平方向内方（径方向内方）とへ移動可能であり、第１〜第４水平支持架材１７ａ〜１７ｄの第１〜第４先端開口４２ａ〜４２ｄに対する第１〜第４垂直支持架材１８ａ〜１８ｄの上端部４５の固定位置を調節することで、第１〜第４水平支持架材１７ａ〜１７ｄの先端部４０における第１〜第４垂直支持架材１８ａ〜１８ｄの水平方向の設置位置を変更可能である。
【００５７】
具体的には、第１〜第４垂直支持架材１８ａ〜１８ｄの上端部４５の固定位置を第１〜第４水平支持架材１７ａ〜１７ｄの第１〜第４先端開口４２ａ〜４２ｄの径方向内方（第１〜第４水平支持架材１７ａ〜１７ｄの基端部３８の側）にすることで、吊りパイプ１２の下端支持部２１からの第１〜第４垂直支持架材１８ａ〜１８ｄの水平方向（径方向）の延出寸法（吊りパイプ１２の下端支持部２１と第１〜第４垂直支持架材１８ａ〜１８ｄとの間の水平方向（径方向）の離間寸法）を短くすることができ、第１〜第４垂直支持架材１８ａ〜１８ｄの上端部４５の固定位置を第１〜第４水平支持架材１７ａ〜１７ｄの第１〜第４先端開口４２ａ〜４２ｄの径方向外方（第１〜第４水平支持架材１７ａ〜１７ｄの先端の側）にすることで、吊りパイプ１２の下端支持部２１からの第１〜第４垂直支持架材１８ａ〜１８ｄの水平方向（径方向）の延出寸法（吊りパイプ１２の下端支持部２１と第１〜第４垂直支持架材１８ａ〜１８ｄとの間の水平方向（径方向）の離間寸法）を長くすることができる。
【００５８】
第１〜第４垂直支持架材１８ａ〜１８ｄは、図１１に示すように、その下端部４７が天吊り機器１１の側面から外方へ突出する第１吊り金具５０ａ〜第４吊り金具５０ｄの挿通孔５１に挿通され、第１〜第４吊り金具５０ａ〜５０ｄを挟むように下端部４７の螺子４４に螺着されたナット５２及び二重ナット５３によって第１〜第４吊り金具５０ａ〜５０ｄに固定されている。天吊り機器１１がエアコンや送風機等のように運転による振動が発生する場合、第１〜第４吊り金具５０ａ〜５０ｄと二重ナット５３との間に防振ゴム（図示せず）を取り付ける。
【００５９】
第１〜第４垂直支持架材１８ａ〜１８ｄの下端部４７に対するナット５２及び二重ナット５３の螺着位置は垂直方向上方と垂直方向下方とへ移動可能であり、第１〜第４垂直支持架材１８ａ〜１８ｄの下端部４７に対するナット５２及び二重ナット５３の螺着位置を調節することで、第１〜第４垂直支持架材１８ａ〜１８ｄの下端部４７における天吊り機器１１の第１〜第４吊り金具５０ａ〜５０ｄの垂直方向の係止位置を変更可能である。
【００６０】
具体的には、第１〜第４垂直支持架材１８ａ〜１８ｄの下端部４７に対するナット５２及び二重ナット５３の螺着位置を垂直方向上方（第１〜第４垂直支持架材１８ａ〜１８ｄの上端部４５の側）に移動させることで、第１〜第４垂直支持架材１８ａ〜１８ｄの下端部４７における天吊り機器１１の第１〜第４吊り金具５０ａ〜５０ｄの垂直方向の係止位置を上げることができ、第１〜第４垂直支持架材１８ａ〜１８ｄの下端部４７に対するナット５２及び二重ナット５３の螺着位置を垂直方向下方（第１〜第４垂直支持架材１８ａ〜１８ｄの下端の側）に移動させることで、第１〜第４垂直支持架材１８ａ〜１８ｄの下端部４７における天吊り機器１１の第１〜第４吊り金具５０ａ〜５０ｄの垂直方向の係止位置を下げることができる。
【００６１】
天吊り機器固定器具１０Ａ（天吊り機器固定器具１０Ｂを含む）は、予め製造工場又は床面等の安全な場所において製造された後、天吊り機器１１を天井スラブ１９に取り付ける施工工程の直前に天吊り機器設置工事の施工現場に搬送される。製造工場では、第１〜第４水平支持架材１７ａ〜１７ｄの基端部３８を下端第１及び第２フランジ１５，１６の間に配置するとともに、下端第１及び第２フランジ１５，１６の挿通孔３４，３７と第１〜第４水平支持架材１７ａ〜１７ｄの第１〜第４基端孔４１ａ〜４１ｄとに固定ボルト３３の螺子部を挿入し、固定ボルト３３の螺子部に二重ナット４３を螺着し、固定ボルト３３によって第１〜第４水平支持架材１７ａ〜１７ｄを下端第１及び第２フランジ１５，１６に取り付ける。
【００６２】
したがって、搬送前の天吊り機器固定器具１０Ａでは、図１０に示すように、下端第１及び第２フランジ１５，１６に第１〜第４水平支持架材１７ａ〜１７ｄが取り付けられ、更に第１〜第４水平支持架材１７ａ〜１７ｄが折り畳まれた状態で施工現場へ運搬される。図１０では、第１水平支持架材１７ａと第４水平支持架材１７ｄとが並行し、第２水平支持架材１７ｂと第３水平支持架材１７ｃとが並行している。吊りパイプ１２や固定プレート１３、上端フランジ１４、第１〜第４垂直支持架材１８ａ〜１８ｄは、それらが個々に施工現場へ運搬される。
【００６３】
なお、下端第１及び第２フランジ１５，１６に第１〜第４水平支持架材１７ａ〜１７ｄを取り付けることなく、吊りパイプ１２や固定プレート１３、上端フランジ１４、下端第１及び第２フランジ１５，１６、第１〜第４水平支持架材１７ａ〜１７ｄ、第１〜第４垂直支持架材１８ａ〜１８ｄを個々に施工現場に搬送し、現場において図１０の状態に組み立てることもできる。また、吊りパイプ１２の下端支持部２１に下端第１及び第２フランジ１５，１６と第１〜第４水平支持架材１７ａ〜１７ｄとを取り付けるとともに、第１〜第４水平支持架材１７ａ〜１７ｄの先端部４０に第１〜第４垂直支持架材１８ａ〜１８ｄの上端部４５を取り付けた状態で施工現場へ運搬することもできる。
【００６４】
第１〜第４水平支持架材１７ａ〜１７ｄの離間角度の調節や吊りパイプ１２の下端支持部２１からの第１〜第４水平支持架材１７ａ〜１７ｄの水平方向の延出寸法の調節、吊りパイプ１２の下端支持部２１からの第１〜第４垂直支持架材１８ａ〜１８ｄの水平方向の延出寸法の調節、第１〜第４垂直支持架材１８ａ〜１８ｄの下端部４７における天吊り機器１１の第１〜第４吊り金具５０ａ〜５０ｄの垂直方向の係止位置の調節（天吊り機器１１の取付位置の微調整）は、施工現場において行われる。
【００６５】
図１２は、他の一例として示す第１〜第４水平支持架材１７ａ〜１７ｄの斜視図である。図１２に示す第１〜第４水平支持架材１７ａ〜１７ｄは、その基端部３８と先端部４０との間において等間隔離間して並ぶ水平方向へ長い複数の開口５６（孔）を有する。固定ボルト３３が第１〜第４水平支持架材１７ａ〜１７ｄに形成されたそれら開口５６のうちのいずれかの開口５６に挿通され、第１〜第４垂直支持架材１８ａ〜１８ｄの上端部４５が第１〜第４水平支持架材１７ａ〜１７ｄに形成されたそれら開口５６のうちのいずれかの開口５６に挿通される。
【００６６】
固定ボルト３３をいずれかの開口５６に挿通しつつ、所定の開口５６において固定ボルト３３の位置を水平方向外方（径方向外方）と水平方向内方（径方向内方）とへ移動させ、第１〜第４水平支持架材１７ａ〜１７ｄの所定の開口５６に対する固定ボルト３３の固定位置を調節することで、吊りパイプ１２の下端支持部２１からの第１〜第４水平支持架材１７ａ〜１７ｄの水平方向（径方向）の延出寸法を変更可能である。
【００６７】
第１〜第４垂直支持架材１８ａ〜１８ｄの上端部４５をいずれかの開口５６に挿通しつつ、所定の開口５６において第１〜第４垂直支持架材１８ａ〜１８ｄの上端部４５の位置を水平方向外方（径方向外方）と水平方向内方（径方向内方）とへ移動させ、第１〜第４水平支持架材１７ａ〜１７ｄの所定の開口５６に対する第１〜第４垂直支持架材１８ａ〜１８ｄの上端部４５の固定位置を調節することで、第１〜第４水平支持架材１７ａ〜１７ｄにおける第１〜第４垂直支持架材１８ａ〜１８ｄの水平方向の設置位置を変更可能である。
【００６８】
図１２の第１〜第４水平支持架材１７ａ〜１７ｄを使用した天吊り機器固定器具１０Ａ（天吊り機器固定器具を含む１０Ｂ）は、第１〜第４水平支持架材１７ａ〜１７ｄに形成されたそれら開口５６のいずれかを利用して第１〜第４水平支持架材１７ａ〜１７ｄを吊りパイプ部材１２の下端支持部２１において水平方向外方と水平方向内方とへ移動させることができるから、天吊り機器１１の大きさや形状、縦横寸法にあわせて吊りパイプ１２の下端支持部２１からのそれら水平支持架材１７ａ〜１７ｄの水平方向の延出寸法を変更することができ、天吊り機器固定器具１０Ａを利用して大きさや形状、縦横寸法の異なる様々な天吊り機器１１を天井スラブ１９（構造物）に設置することができる。
【００６９】
図１２の第１〜第４水平支持架材１７ａ〜１７ｄを使用した天吊り機器固定器具１０Ａ（天吊り機器固定器具を含む１０Ｂ）は、第１〜第４水平支持架材１７ａ〜１７ｄに形成されたそれら開口５６のいずれかを利用して第１〜第４垂直支持架材１８ａ〜１８ｄの上端部４５を第１〜第４水平支持架材１７ａ〜１７ｄにおいて水平方向外方と水平方向内方とへ移動させることができるから、天吊り機器１１の大きさや形状、縦横寸法にあわせて第１〜第４水平支持架材１７ａ〜１７ｄにおけるそれら垂直支持架材１８ａ〜１８ｄの水平方向の設置位置を変更することができ、天吊り機器固定器具１０Ａを利用して大きさや形状、縦横寸法の異なる様々な天吊り機器１１を天井スラブ１９（構造物）に設置することができる。
【００７０】
図１３は、天吊り機器１１を取り付けた状態で示す天吊り機器固定器具１０Ａの側面図であり、図１４は、天井スラブ１９に取り付けられた吊りパイプ１２（吊り部材）と固定プレート１３及び上端フランジ１４との部分拡大断面図である。天吊り機器固定器具１０Ａを使用して天吊り機器１１を天井スラブ１９に設置する手順の一例を説明すると、以下のとおりである。
【００７１】
最初に、第１〜第４垂直支持架材１８ａ〜１８ｄの上端部４５を第１〜第４水平支持架材１７ａ〜１７ｄの第１〜第４先端孔４２ａ〜４２ｄに挿通し、第１〜第４垂直支持架材１８ａ〜１８ｄを二重ナット４８及びナット４９によって第１〜第４水平支持架材１７ａ〜１７ｄの先端部に取り付ける。次に、下端第１及び第２フランジ１５，１６の間に設置された第１〜第４水平支持架材１７ａ〜１７ｄの吊りパイプ１２の下端支持部２１からの水平方向（径方向）の延出寸法を調節しつつ、第１〜第４水平支持架材１７ａ〜１７ｄの離間角度を調節する。
【００７２】
第１〜第４水平支持架材１７ａ〜１７ｄの第１〜第１基端開口４１ａ〜４１ｄに対する固定ボルト３３の位置を水平方向外方（径方向外方）又は水平方向内方（径方向内方）へ移動させ、第１〜第１基端開口４１ａ〜４１ｄに対する固定ボルト３３の固定位置を調節し、天吊り機器１１の大きさや形状、縦横寸法にあわせて吊りパイプ１２の下端支持部２１からの第１〜第４水平支持架材１７ａ〜１７ｄの水平方向（径方向）の延出寸法を調節する。第１〜第４水平支持架材１７ａ〜１７ｄの基端部３８を回転させ、天吊り機器１１の第１〜第４吊り金具５０ａ〜５０ｄの位置にあわせて第１〜第４水平支持架材１７ａ〜１７ｄの旋回角度を調節した後、下端第１フランジ１５の挿通孔３４から上方へ露出する固定ボルト３３の螺子部に螺着された二重ナット４３を増し締めすることで、第１〜第４水平支持架材１７ａ〜１７ｄの基端部３８を下端第１及び第２フランジ１５，１６に強固に固定する。
【００７３】
天吊り機器固定器具１０Ａ（天吊り機器固定器具を含む１０Ｂ）は、第１〜第４水平支持架材１７ａ〜１７ｄの基端部３８を吊り部材１１の下端支持部２１において水平方向外方又は水平方向内方へ移動させることで、天吊り機器１１の大きさや形状、縦横寸法にあわせて吊り部材１２の下端支持部２１からのそれら水平支持架材１７ａ〜１７ｄの水平方向の延出寸法を変更することができ、天吊り機器固定器具１０Ａを利用して大きさや形状、縦横寸法の異なる様々な天吊り機器１１を天井スラブ１９に設置することができる。また、天吊り機器１１の水平方向の位置調整ができ、天吊り機器１１の位置を天井ボードの開口位置にあわせることができる。
【００７４】
天吊り機器固定器具１０Ａ（天吊り機器固定器具を含む１０Ｂ）は、第１〜第４水平支持架材１７ａ〜１７ｄを吊り部材１２の周り方向へ旋回させることで、天吊り機器１１の大きさや形状、縦横寸法にあわせて第１〜第４水平支持架材１７ａ〜１７ｄの旋回角度を変更することができるとともに、天吊り機器１１の第１〜第４吊り金具５０ａ〜５０ｄの位置にあわせて第１〜第４垂直支持架材１８ａ〜１８ｄの位置を変更することができ、天吊り機器固定器具１０Ａを利用して各種の形状の天吊り機器１１を天井スラブ１９に設置することができる。
【００７５】
第１〜第４水平支持架材１７ａ〜１７ｄを下端第１及び第２フランジ１５，１６に固定した後、固定プレート１３を天井スラブ１９に設置する。固定プレート１３の四隅に穿孔された貫通孔２４に天井スラブ１９から下方へ延びるアンカーボルト２３の螺子部を挿通し、貫通孔２４から下方へ露出するアンカーボルト２３の螺子部にナット２５を螺着し（増し締めし）、固定プレート１３を天井スラブ１９に強固に固定する。
【００７６】
次に、上端フランジ１４を固定プレート１３に設置する。上端フランジ１４の周縁部に穿孔された貫通孔２９に固定プレート１３の中央部から下方へ延びる溶接ボルト２６の螺子部を挿通し、貫通孔２９から下方へ延びる溶接ボルト２６の螺子部にナット３０を螺着し（増し締めし）、上端フランジ１４を固定プレート１３に強固に固定する。上端フランジ１４を固定プレート１３に固定した後、上端フランジ１４の中央部に穿孔された固定孔２７の螺子溝２８に吊りパイプ１２の上端設置部２０に作られた螺子２２を螺着し（増し締めし）、吊りパイプ１２の上端設置部２０を上端フランジ１４に強固に固定する。
【００７７】
吊りパイプ１２の上端設置部２０を上端フランジ１４に固定した後、第１〜第４垂直支持架材１８ａ〜１８ｄの下端部４７（螺子４４）にナット５２を螺着する。次に、天吊り機器１１を天吊り機器固定器具１０Ａの直下に配置し、天吊り機器１１の第１〜第４吊り金具５０ａ〜５０ｄの挿通孔５１に第１〜第４垂直支持架材１８ａ〜１８ｄの下端部４７を挿通し、第１〜第４吊り金具５０ａ〜５０ｄから下方へ露出する第１〜第４垂直支持架材１８ａ〜１８ｄの下端部４７（螺子４４）に二重ナット５３を螺着する。第１〜第４垂直支持架材１８ａ〜１８ｄの下端部４７に二重ナット５３を螺着することで、天吊り機器１１が天吊り機器固定器具１０Ａに支持され、天吊り機器１１が天井スラブ１９に設置される。
【００７８】
天吊り機器１１の第１〜第４吊り金具５０ａ〜５０ｄに第１〜第４垂直支持架材１８ａ〜１８ｄの下端部４７を挿通する際、天吊り機器１１の大きさや形状、縦横寸法に一致するように、第１〜第４水平支持架材１７ａ〜１７ｄの第１〜第４先端孔４２ａ〜４２ｄに対する第１〜第４垂直支持架材１８ａ〜１８ｄの上端部４５の位置が水平方向外方（径方向外方）又は水平方向内方（径方向内方）へわずかに移動する。天吊り機器固定器具１０Ａは、天吊り機器１１の第１〜第４吊り金具５０ａ〜５０ｄに第１〜第４垂直支持架材１８ａ〜１８ｄの下端部４７を挿通する際、第１〜第４水平支持架材１７ａ〜１７ｄの第１〜第４先端孔４２ａ〜４２ｄに対する第１〜第４垂直支持架材１８ａ〜１８ｄの上端部４５の固定位置が調節され、第１〜第４水平支持架材１７ａ〜１７ｄの先端部４０における第１〜第４垂直支持架材１８ａ〜１８ｄの水平方向の設置位置が変更（微調整）される。
【００７９】
天吊り機器固定器具１０Ａは、第１〜第４垂直支持架材１８ａ〜１８ｄの上端部４５が第１〜第４水平支持架材１７ａ〜１７ｄの先端部４０において水平方向外方と水平方向内方とへ移動することで、天吊り機器１１の大きさや形状、縦横寸法にあわせて第１〜第４水平支持架材１７ａ〜１７ｄの先端部４０におけるそれら垂直支持架材１８ａ〜１８ｄの水平方向の設置位置を変更することができ、天吊り機器固定器具１０Ａを利用して大きさや形状、縦横寸法の異なる様々な天吊り機器１１を天井スラブ１９（構造物）に設置することができる。また、天吊り機器１１の水平方向の位置調整ができ、天吊り機器１１の位置を所定の位置（例えば、天井ボードの開口位置）にあわせることができる。
【００８０】
天吊り機器１１を天吊り機器固定器具１０Ａに設置した後、第１〜第４垂直支持架材１８ａ〜１８ｄの下端部４７に螺着されたナット５２及び二重ナット５３を時計回り方向又は反時計回り方向へ回転させ、第１〜第４垂直支持架材１８ａ〜１８ｄの下端部４７（螺子４４）に対するナット５２及び二重ナット５３の螺着位置を調節し、第１〜第４垂直支持架材１８ａ〜１８ｄの下端部４７における天吊り機器１１の第１〜第４吊り金具５０ａ〜５０ｄの垂直方向の係止位置を変更する。
【００８１】
天吊り機器固定器具１０Ａは、第１〜第４垂直支持架材１８ａ〜１８ｄの下端部４７における天吊り機器１１の吊り金具５０ａ〜５０ｄの垂直方向の係止位置を変更することで、天井スラブ１９に対する天吊り機器１１の傾斜を修正することができ、天井スラブ１０に対する天吊り機器１１の水平状態を確保することができるとともに、天井スラブ１９に対して天吊り機器１１を水平に設置することができる。また、天吊り機器１１の垂直方向の位置調整ができ、天吊り機器１１の位置を所定の位置（例えば、天井ボードの開口位置）にあわせることができる。
【００８２】
第１〜第４垂直支持架材１８ａ〜１８ｄの下端部４７における天吊り機器１１の第１〜第４吊り金具５０ａ〜５０ｄの垂直方向の係止位置を変更した後、第１〜第４垂直支持架材１８ａ〜１８ｄの上端部４５（螺子４４）に螺着された二重ナット４８及びナット４９を増し締めするとともに、第１〜第４垂直支持架材１８ａ〜１８ｄの下端部４７に螺着されたナット５２及び二重ナット５３を増し締めし、第１〜第４垂直支持架材１８ａ〜１８ｄを第１〜第４水平支持架材１７ａ〜１７ｄの先端部４０に強固に固定し、天吊り機器固定器具１０Ａに対する天吊り機器１１の取り付けが完了する。なお、その後に天井仕上げボードを設置するとともに、天吊り機器１１にフェースカバーを取り付ける。
【００８３】
天吊り機器固定器具１０Ａは、固定プレート１３と上端フランジ１４とを利用して吊りパイプ１２（吊り部材）の上端設置部２０を天井スラブ１９に強固に固定し、第１〜第４水平支持架材１７ａ〜１７ｄの先端部４０に設置された第１〜第４垂直支持架材１８ａ〜１８ｄの下端部４７を天吊り機器１１の第１〜第４吊り金具５０ａ〜５０ｄに係止することで、天井スラブ１９（構造物）に天吊り機器１１をしっかりと吊り下げることができる。天吊り機器固定器具１０Ａは、設計震度を満たすための耐震設計で地震の際の天吊り機器１１の振れ止めを可能にすることができる。
【００８４】
天吊り機器固定器具１０Ａは、事前に耐震計算をしつつ天吊り機器固定器具の工場又は床面等の安全な場所での製造が可能となり、天吊り機器固定器具を短時間に効率よく製造することができる。天吊り機器固定器具１０Ａは、先行して天井スラブ１９に固定プレート１３を設置し、その後に吊りパイプ１２（吊り部材）を取り付けることができ、天井スラブ１９に対して吊りパイプ１２を容易に設置することができるとともに、第１〜第４水平支持架材１７ａ〜１７ｄや第１〜第４垂直支持架材１８ａ〜１８ｄを利用して天井スラブ１９に天吊り機器１１を短時間に効率よく設置することができ、天吊り機器１１の設置作業にかかる時間や労力を少なくすることができる。
【００８５】
天吊り機器固定器具１０Ａは、固定プレート１３と上端フランジ１４とを利用して吊りパイプ１２（吊り部材）を天井スラブ１９に強固に固定することができ、吊りパイプ１２が天井スラブ１９から不用意に外れることはなく、天吊り機器１１の不測の落下事故を防ぐことができる。天吊り機器固定器具１０Ａは、天吊り機器１１の上方空間において第１〜第４水平支持架材１７ａ〜１７ｄや第１〜第４垂直支持架材１８ａ〜１８ｄが大きく場所を取ることはなく、天吊り機器１１の上方に大きなスペースが確保され、天吊り機器１１の上方空間において作業者の作業空間を増やすことができるとともに、作業者がその作業空間を広く利用することができ、天吊り機器１１の上方空間を有効かつ安全に利用することができる。
【００８６】
図１５は、天吊り機器１１を取り付けた状態で示す他の一例の天吊り機器固定器具１０Ｂの側面図であり、図１６は、吊りパイプ１２の上端設置部２０と固定プレート１３及び上端フランジ１４との部分拡大断面図である。図１７は、吊りパイプ１２の下端支持部２１と下端第１フランジ１５との部分拡大断面図である。
【００８７】
図１５に示す天吊り機器固定器具１０Ｂが図１のそれと異なるところは、吊りパイプ１２（吊り部材）の上端設置部２０が上端フランジ１４の固定孔２７に溶接固定されている点、吊りパイプ１２の下端支持部２１に下端第１フランジ１５が溶接固定されている点、上端補強リブ５４及び下端補強リブ５５を有する点にある。この天吊り機器固定器具１０Ｂの他の構成は、図１の天吊り機器固定器具１０Ａのそれらと同一であるから、図１の天吊り機器固定器具１０Ａと同一の符号を付すとともに、図１の天吊り機器固定器具１０Ａの説明を援用することで、この天吊り機器固定器具１０Ｂのその他に構成の詳細な説明は省略する。なお、原則として吊りパイプ１２に上端補強リブ５４及び下端補強リブ５５なしの耐震計算を採用し、天吊り機器１１や設置条件によって図１の吊りパイプ１２では振れ止め効果が不足していると想定した場合、図１５の補強リブ５４，５５を有する吊りパイプ１２を使用する。
【００８８】
天吊り機器固定器具１０Ｂは、垂直方向へ延びる吊りパイプ１２（吊り部材）と、水平方向へ延びる固定プレート１３及び上端フランジ１４と、水平方向へ延びる下端第１フランジ１５及び下端第２フランジ１６と、水平方向へ延びる第１〜第４水平支持架材１７ａ〜１７ｄと、垂直方向へ延びる第１〜第４垂直支持架材１８ａ〜１８ｄと、４個の上端補強リブ５４及び４個の下端補強リブ５５とから形成されている。固定プレート１３や下端第２フランジ１６、第１〜第４水平支持架材１７ａ〜１７ｄ、第１〜第４垂直支持架材１８ａ〜１８ｄは、図１の天吊り機器固定器具１０Ａのそれらと同一である。第１〜第４水平支持架材１７ａ〜１７ｄには、図１２のそれを使用することもできる。
【００８９】
天吊り機器固定器具１０Ｂでは、吊りパイプ１２の上端設置部２０に螺子２２が作られておらず、吊りパイプ１２の上端設置部２０が上端フランジ１４の中央部に穿孔された固定孔２７に挿入され、吊りパイプ１２の上端設置部２０が溶接によって上端フランジ１４の固定孔２７に固定されている。それら上端補強リブ５４は、所定の金属から作られ、上端フランジ１４から垂直方向下方へ延びている。それら上端補強リブ５４は、吊りパイプ１２の周り方向へ等間隔離間して並んでいる。それら上端補強リブ５４の頂部が溶接によって上端フランジ１４に固定され、それら上端補強リブ５４の側部が溶接によって吊りパイプ１２の周面に固定されている。
【００９０】
吊りパイプ１２の下端支持部２１が下端第１フランジ１５の中央部に穿孔された螺着孔３１に螺着され、吊りパイプ１２の下端支持部２１が溶接によって下端第１フランジ１５の螺着孔３１に固定されている。それら下端補強リブ５５は、所定の金属から作られ、下端第１フランジ１５から垂直方向上方へ延びている。それら下端補強リブ５５は、吊りパイプ１５の周り方向へ等間隔離間して並んでいる。それら下端補強リブ５５の底部が溶接によって下端第１フランジ１５に固定され、それら下端補強リブ５５の側部が溶接によって吊りパイプ１２の周面に固定されている。
【００９１】
天吊り機器固定器具１０Ｂを使用して天吊り機器１１を天井スラブ１９に設置する手順は、下端第１及び第２フランジ１５，１６の間に設置された第１〜第４水平支持架材１７ａ〜１７ｄの吊りパイプ１２の下端支持部２１からの水平方向（径方向）の延出寸法を調節しつつ、第１〜第４水平支持架材１７ａ〜１７ｄの離間角度（旋回角度）を調節し、第１〜第４水平支持架材１７ａ〜１７ｄを下端第１及び第２フランジ１５，１６に固定する。
【００９２】
貫通孔２４から下方へ露出するアンカーボルト２３の螺子部にナット２５を螺着して（増し締めして）固定プレート１３を天井スラブ１９に強固に固定（設置）し、貫通孔２９から下方へ延びる溶接ボルト２６の螺子部にナット３０を螺着して（増し締めして）上端フランジ１４を固定プレート１３に強固に固定（設置）する。
【００９３】
次に、天吊り機器１１を天吊り機器固定器具１０Ｂの直下に配置し、天吊り機器１１の第１〜第４吊り金具５０ａ〜５０ｄの挿通孔５１に第１〜第４垂直支持架材１８ａ〜１８ｄの下端部４７を挿通し、第１〜第４吊り金具５０ａ〜５０ｄから下方へ露出する第１〜第４垂直支持架材１８ａ〜１８ｄの下端部４７に二重ナット５３を螺着する。第１〜第４垂直支持架材１８ａ〜１８ｄの下端部４７に対するナット５２及び二重ナット５３の螺着位置を調節し、ナット５２及び二重ナット５３を増し締めするとともに、第１〜第４垂直支持架材１８ａ〜１８ｄの上端部４５に螺着された二重ナット４８及びナット４９を増し締めし、第１〜第４垂直支持架材１８ａ〜１８ｄを第１〜第４水平支持架材１７ａ〜１７ｄの先端部４０に強固に固定し、天吊り機器固定器具１０Ｂに対する天吊り機器１１の取り付けが完了する。
【００９４】
図１５に示す天吊り機器固定器具１０Ｂは、図１の天吊り機器固定器具１０Ａが有する効果に加え、以下の効果を有する。天吊り機器固定器具１０Ｂは、吊りパイプ１２（吊り部材）の上端設置部２０と固定フランジ１４とに固定された上端補強リブ５４によって吊りパイプ１２と固定フランジ１４との接合部の強度や剛性が増加し、吊りパイプ１２の下端支持部２１と下端フランジ１５とに固定された下端補強リブ５５によって吊りパイプ１２と下端フランジ１５との接合部の強度や剛性が増加するから、吊りパイプ１２に天吊り機器１１の荷重や地震による加振力がかかったとしても、吊りパイプ１２が振れて破損や損壊することはなく、吊りパイプ１２の破損や損壊による天吊り機器１１の天井スラブ１９（構造物）からの不測の落下事故を防ぐことができる。
【符号の説明】
【００９５】
１０Ａ  天吊り機器固定器具
１０Ｂ  天吊り機器固定器具
１１    天吊り機器
１２    吊りパイプ（吊り部材）
１３    固定プレート
１４    上端フランジ
１５    下端第１フランジ
１６    下端第２フランジ
１７    水平支持架材
１７ａ  第１水平支持架材
１７ｂ  第２水平支持架材
１７ｃ  第３水平支持架材
１７ｄ  第４水平支持架材
１８    垂直支持架材
１８ａ  第１垂直支持架材
１８ｂ  第２垂直支持架材
１８ｃ  第３垂直支持架材
１８ｄ  第４垂直支持架材
１９    天井スラブ
２０    上端設置部
２１    下端支持部
２２    螺子
２３    アンカーボルト
２４    貫通孔
２５    ナット
２６    溶接ボルト
２７    固定孔
２８    螺子溝
２９    貫通孔
３０    ナット
３１    螺着孔
３２    螺子溝
３３    固定ボルト
３４    挿通孔
３５    螺着孔
３６    螺子溝
３７    挿通孔
３８    基端部
３９    中間部
４０    先端部
４１ａ  第１基端開口（第１基端孔）
４１ｂ  第２基端開口（第２基端孔）
４１ｃ  第３基端開口（第３基端孔）
４１ｄ  第４基端開口（第４基端孔）
４２ａ  第１先端開口（第１先端孔）
４２ｂ  第２先端開口（第２先端孔）
４３ｃ  第３先端開口（第３先端孔）
４３ｄ  第４先端開口（第４先端孔）
４３    二重ナット
４４    螺子
４５    上端部
４６    中間部
４７    下端部
４８    二重ナット
４９    ナット
５０ａ  第１吊り金具
５０ｂ  第２吊り金具
５０ｃ  第３吊り金具
５０ｄ  第４吊り金具
５１    挿通孔
５２    ナット
５３    二重ナット
５４    上端補強リブ
５５    下端補強リブ
５６    開口（孔）
【図１】
2020085101.tif 000003
【図２】
2020085101.tif 000004
【図３】
2020085101.tif 000005
【図４】
2020085101.tif 000006
【図５】
2020085101.tif 000007
【図６】
2020085101.tif 000008
【図７】
2020085101.tif 000009
【図８】
2020085101.tif 000010
【図９】
2020085101.tif 000011
【図１０】
2020085101.tif 000012
【図１１】
2020085101.tif 000013
【図１２】
2020085101.tif 000014
【図１３】
2020085101.tif 000015
【図１４】
2020085101.tif 000016
【図１５】
2020085101.tif 000017
【図１６】
2020085101.tif 000018
【図１７】
2020085101.tif 000019